(57)【要約】【課題】弦楽器の運指をガイドするための発光部を弦楽器のネックに取り付けた後、その発光部を容易に取り外せるようにする。【解決手段】基材１００は弦楽器のネック２００に着脱自在に取り付けられる。発光部１３０は、基材１００に取り付けられている。弦楽器がギターの場合、発光部１３０は、基材１００がネック２００に取り付けられたときに、ギターのフレット２１０の間に位置する。そして基材１００は、ネック２００に周方向に巻かれ、かつ周方向の一部で２重に重なり、当該重なった部分が互いに固定されることにより、ネック２００に着脱自在に取り付けられる。【選択図】図１
2015230463.tif 000002
【特許請求の範囲】
【請求項１】
弦楽器のネックに着脱自在に取り付けられる基材と、
前記基材に保持された複数の発光部と、
を備え、
前記発光部に電気的に接続し、前記基材に形成された配線と、を備え、 
前記配線は前記弦楽器と接触しない発光装置。
【請求項２】
請求項１に記載の発光装置において、
前記基材は、前記ネックの周方向に巻かれ、かつ前記周方向の一部で２重に重なり、当該重なった部分が互いに固定されることにより、前記ネックに着脱自在に取り付けられる発光装置。
【請求項３】
請求項２に記載の発光装置において、
前記複数の発光部は、前記弦楽器の弦の数と同数配置されており、かつ前記基材が前記ネックに取り付けられた状態において、前記弦楽器の弦と重なる発光装置。
【請求項４】
請求項３に記載の表示装置において、
前記基材のうち前記ネックに対向する面に取り付けられた緩衝材を備える発光装置。
【請求項５】
請求項４に記載の発光装置において、
前記配線は前記緩衝材と重なっている発光装置。
【請求項６】
請求項５に記載の発光装置において、
前記基材に形成され、前記ネックの複数の前記フレットを個別に通す３つ以上の開口を備え、
前記複数の開口の間の領域のそれぞれに前記弦楽器の弦の数と同数の前記発光部が配置されている発光装置。
【請求項７】
請求項１に記載の発光装置において、
前記基材の端面に設けられた凹部と、
前記凹部に設けられ、前記配線と前記発光部とを接続する端子と、
を備え、
前記凹部に、前記発光部が差し込まれている発光装置。
【発明の詳細な説明】
【技術分野】
【０００１】
本発明は、発光装置に関する。
【背景技術】
【０００２】
ギターなどの弦楽器の演奏において運指の案内を行う装置として、特許文献１に記載の装置がある。特許文献１において、ギターのネックと弦の間には表示部が挿入される。そしてこの表示部に、運指の案内を行うための表示が行われる。特許文献１において、表示部をネックに着脱自在に固定する方法として、粘着材料の薄膜シートが用いられている。
【先行技術文献】
【特許文献】
【０００３】
【特許文献１】特開２００２−３５１４５８号公報
【発明の概要】
【発明が解決しようとする課題】
【０００４】
特許文献１に記載の技術において、木材で形成されたネックの表面（弦がある側の面）に有機ＥＬパネルなどの発光部を取り付ければ、この発光部に接続する配線がネックに当たり、ネックの表面が傷つく可能性が出てくる。ネックの表面が傷つけば、弦による音が変化してしまう。
【０００５】
本発明が解決しようとする課題としては、弦楽器のネックと発光部に接続する配線が直接当たらないようにすることが一例として挙げられる。
【課題を解決するための手段】
【０００６】
請求項１に記載の発明は、弦楽器のネックに着脱自在に取り付けられる基材と、
前記基材に保持された複数の発光部と、
を備え、
前記発光部に電気的に接続し、前記基材に形成された配線と、を備え、 
前記配線は前記弦楽器と接触しない発光装置である。
【図面の簡単な説明】
【０００７】
【図１】実施形態に係る発光装置の構成を示す平面図である。
【図２】発光装置をギターのネックに取り付けた状態を示す断面図である。
【図３】図２のＡ−Ａ断面図である。
【図４】変形例１に係る発光装置の構成を示す平面図である。
【図５】変形例２に係る発光装置の構成を示す断面図である。
【発明を実施するための形態】
【０００８】
以下、本発明の実施の形態について、図面を用いて説明する。尚、すべての図面において、同様な構成要素には同様の符号を付し、適宜説明を省略する。
【０００９】
図１は、実施形態に係る発光装置１０の構成を示す平面図である。本実施形態に係る発光装置１０は、基材１００、複数の発光部１３０、及び配線１１６を備えている。基材１００は弦楽器のネック２００に着脱自在に取り付けられる。発光部１３０は、基材１００に取り付けられている。弦楽器がギターの場合、発光部１３０は、基材１００がネック２００に取り付けられたときに、ギターのフレット２１０の間に位置する。配線１１６は発光部１３０に電力を供給する。そして配線１１６は、ネック２００に接しない。
【００１０】
また、基材１００は、ネック２００に周方向に巻かれ、かつ周方向の一部で２重に重なり、当該重なった部分が互いに固定されることにより、ネック２００に着脱自在に取り付けられる。以下の説明において、弦楽器はギターであるとする。ただし、弦楽器は、ベースや、フレット２１０がない弦楽器であってもよい。
【００１１】
基材１００は、例えば布、屈曲可能な樹脂部材によって形成されており、可撓性を有している。ただし、基材１００は、有機ＥＬ素子の基板そのものであってもよい。
【００１２】
図１に示すように、基材１００がネック２００に巻かれる方向（図１における上下方向：以下、巻付方向と記載）において、基材１００の幅はネック２００の外周よりも長い。このため、基材１００をネック２００に巻いたとき、基材１００は、ネック２００の周方向の一部で２重に重なる。
【００１３】
また、巻付方向において、基材１００は、ネック２００の一方の端部には固定部１１２ａが取り付けられており、またネック２００の他方の端部には固定部１１２ｂが取り付けられている。固定部１１２ａ、１１２ｂは、基材１００のうちたがいに異なる面に取り付けられている。そして、固定部１１２ａ，１１２ｂを互いに重ねると、取り外し可能な状態で互いに固定される。固定部１１２ａ，１１２ｂは、例えばマジックテープ（登録商標）である。ただし、固定部１１２ａ，１１２ｂの一方が粘着層であり、他方がこの粘着層に張り付けられるためのシートであってもよい。
【００１４】
巻付方向に直交する方向における基材１００の幅は、ネック２００のうちフレット２１０が配置されている領域の幅とほぼ同じである。そして、基材１００には、フレット２１０を通すための開口１１４が複数設けられている。通常、フレット２１０は３つ以上設けられているため、基材１００には３つ以上の開口１１４が設けられている。
【００１５】
そして、基材１００のうち例えばネック２００とは逆側の面には、複数の発光部１３０が設けられている。このため、発光装置１０をネック２００に対して取り付け・取り外しする際に、発光部１３０がネック２００に接触して破損することを抑制できる。発光部１３０は、複数の開口１１４の間に位置する領域に設けられており、発光素子、例えば有機ＥＬ素子を有している。発光部１３０を有機ＥＬ素子で形成すると、発光装置１０を軽量化することができる。また本図に示す例では、ギターの弦と同数の発光部１３０によって、一組の発光領域が形成されている。同一の発光領域に含まれる複数の発光部１３０は、基材１００が巻かれる方向に直列に並んでいる。そして、この発光領域は、基材１００のうち複数の開口１１４の間に位置する領域のそれぞれに設けられている。そしていずれの発光部１３０にも、固有の識別情報が与えられている。これらの識別情報は、制御部１５０によって記憶されている。
【００１６】
また、上記した発光領域は、複数の発光部１３０に加えて補助の発光部１４０を有している。この補助の発光領域は、ギターの弦とは重ならない位置に配置されている。例えば発光部１４０は、ネック２００の側面と重なる位置に配置されている。
【００１７】
なお、複数の発光部１３０の発光色は、互いに同じであってもよいし、重なる弦別に異なっていてもよい。また、発光部１４０の発光色は、発光部１３０の発光色と同じであってもよいし、異なっていてもよい。
【００１８】
また、基材１００には、さらに配線１１６が取り付けられている。配線１１６は、複数の発光部１３０及び発光部１４０に電力を供給している。図１においては、図を簡略化するため、配線１１６を一つの線で記載しているが、実際には、発光部１３０及び発光部１４０を個別に制御できるように、基材１００には複数の配線１１６が設けられている。
【００１９】
なお、配線１１６は、ネック２００の幅方向における端部に設けられるのが好ましい。このようにすることで、ギターの演奏は、配線１１６の存在によって妨げられない。
【００２０】
発光装置１０は、さらに制御部１５０を有している。制御部１５０は基材１００とは別体になっており、配線１１６を介して複数の発光部１３０及び発光部１４０に接続している。制御部１５０は、発光制御情報に従って、発光部１３０及び発光部１４０の発光タイミングを制御する。例えば制御部１５０は、発光部１３０（又は発光部１４０）に電力を供給するタイミングを制御することにより、発光部１３０及び発光部１４０の発光タイミングを制御する。この発光制御情報は、例えば、発光すべき発光部１３０及び発光部１４０を、その発光部１３０及び発光部１４０の識別情報に対応付けて、時系列で記録したものである。この発光制御情報は、演奏曲別に定められており、例えば外部から制御部１５０に入力される。
【００２１】
なお、発光部１４０は、例えば、その発光部１４０が属する発光領域のいずれかの発光部１３０が発光する場合に、発光する。他の例として、発光部１４０は、曲の速さ（テンポ）を知らせるために、点滅してもよい。
【００２２】
図２は発光装置１０をギターのネック２００に取り付けた状態を示す断面図であり、図３は図２のＡ−Ａ断面図である。
【００２３】
基材１００には開口１１４が設けられている。そして基材１００をネック２００に固定する際、複数のフレット２１０のそれぞれを、そのフレット２１０が対応する開口１１４に嵌める。そして、基材１００の両端をネック２００の裏面側に回し、固定部１１２ａ，１１２ｂを互いに重ね、固定する。これにより、基材１００はネック２００に固定される。
【００２４】
この際、基材１００とネック２００の間には、緩衝材１６０、例えばジェルシートが配置される。緩衝材１６０は、例えば基材１００のうちネック２００に対向する面に予め固定されている。緩衝材１６０を設けることにより、ネック２００が基材１００によって傷づくことを抑制できる。また、緩衝材１６０は、配線１１６と重なっているのが好ましい。具体的には、緩衝材１６０は、配線１１６とネック２００の間に位置するのが好ましい。このようにすると、配線１１６による凹凸に起因して、ネック２００が傷つくことを抑制できる。
【００２５】
一つの発光領域には複数の発光部１３０が設けられている。そして、図３に示すように、基材１００をネック２００に取り付けた状態において、同一の発光領域に属する複数の発光部１３０は、互いに異なる弦２２０と重なっている。これにより、ギターを演奏している人は、弦２２０のうち光っている発光部１３０と重なる部分を押さえればよい、と認識できる。
【００２６】
また、基材１００は、ネック２００に周方向に巻かれ、かつ周方向の一部で２重に重なり、当該重なった部分が互いに固定されることにより、ネック２００に着脱自在に取り付けられる。従って、基材１００を容易にネック２００から取り外すことができる。
【００２７】
（変形例１）
図４は、変形例に係る発光装置１０の構成を示す図であり、実施形態における図１に対応している。本変形例に係る発光装置１０は、基材１００に開口１１４が設けられておらず、その代わりに、基材１００が発光領域別、すなわちフレット２１０の間の領域別に分かれている点を除いて、実施形態に係る発光装置１０と同様の構成である。そして、複数の基材１００は配線１１６によって互いに連結されている。
【００２８】
本変形例によっても、基材１００をネック２００に着脱自在に取り付け、かつ、基材１００を容易にネック２００から取り外すことができる。
【００２９】
（変形例２）
図５（ａ）は、変形例２に係る発光装置１０の構成を示す断面図であり、実施形態における図３に対応している。図５（ｂ）は図５（ａ）において点線で囲んだ領域を拡大した図である。本実施形態に係る発光装置１０は、以下の点を除いて、実施形態に係る発光装置１０と同様の構成である。
【００３０】
まず、基材１００は２つに分けられている。そして、２つの基材１００の一方に固定部１１２ａが設けられ、基材１００の他方に固定部１１２ｂが設けられている。また、２つの基材１００のうち固定部１１２ａ，１１２ｂとは逆側の端面１２０には、凹部１２２が設けられている。発光部１３０の一辺は一方の基材１００の凹部１２２に差しこまれ、発光部１３０の逆側の辺は他方の基材１００の凹部１２２に差しこまれる。このようにして、発光部１３０は２つの基材１００の間に保持されている。
【００３１】
そして、凹部１２２には、発光部１３０を配線１１６に接続するための端子１１８が設けられている。発光部１３０は、凹部１２２に差しこまれたとき、端子１１８に接続する。端子１１８は、２つの凹部１２２それぞれに設けられていてもよいし、一方の凹部１２２にのみ設けられていてもよい。なお、本図では、基材１００の端部を基材１００の他の部分と比較して厚くしているが、この端部も基材１００の他の部分と同じ厚さであってもよい。
【００３２】
本図に示す例において、フレット２１０間のスペース一つに対して一つの発光部１３０が設けられた構成になっている。この発光部１３０は、複数の弦２２０のそれぞれに対応した発光領域を有している。これらの発光領域のそれぞれは、実施形態における発光部１３０に相当しており、制御部１５０によって個別に制御される。ただし、実施形態と同様に、複数の弦２２０それぞれに発光部１３０が設けられていてもよい。この場合、隣り合う発光部１３０の間にも基材１００が設けられる。この基材１００は、２つの端面に凹部１２２が設けられる。そして複数の発光部１３０は、いずれも、基材１００の端面１２０に差しこまれる。
【００３３】
本変形例によっても、配線１１６はネック２００に接触しない。従って、配線１１６によってネック２００が傷つくことを抑制できる。また、発光部１３０はネック２００に接触しにくいため、発光装置１０をネック２００に対して取り付け・取り外しする際に、発光部１３０が破損することを抑制できる。
【００３４】
なお、上記した実施形態及び変形例において、発光部１３０は、ディスプレイ、例えば有機ＥＬディスプレイであってもよい。この場合、発光部１３０は文字情報を表示することもできる。
【００３５】
また、基材１００が有機ＥＬ素子の基板を兼ねている場合、有機ＥＬ素子は、硬化後にある程度の柔軟性を有する材料によって封止（固体封止）されていてもよい。この場合、緩衝材１６０を設けなくてもよい。
【００３６】
また、緩衝材１６０がある程度の接着性を有している場合、基材１００の幅をネック２００の幅よりもやや小さくし、基材１００をネック２００に巻き付けないようにしてもよい。
【００３７】
また、例えば発光部１３０の陽極の抵抗値の面内分布を調整する（例えば陽極に膜厚分布を持たせる）ことにより、発光部１３０のうちフレット２１０の近傍に位置する領域が他の領域よりも明るくなるようにしてもよい。
【００３８】
以上、図面を参照して実施形態及び実施例について述べたが、これらは本発明の例示であり、上記以外の様々な構成を採用することもできる。
【符号の説明】
【００３９】
１０ 発光装置
１００ 基材
１１４ 開口
１１６ 配線
１１８ 端子
１２０ 端面
１２２ 凹部
１３０ 発光部
１６０ 緩衝材
２００ ネック
２１０ フレット
２２０ 弦
【図１】
2015230463.tif 000003
【図２】
2015230463.tif 000004
【図３】
2015230463.tif 000005
【図４】
2015230463.tif 000006
【図５】
2015230463.tif 000007